(57)【特許請求の範囲】
【請求項１】
半二重端末が第１の基地局によってハンドリングされている無線セルラー通信ネットワークにおいて、第２の基地局が前記半二重端末をハンドリングすることができるか否かを判断するための方法であって、前記方法は、前記半二重端末によって実行され、
−  前記第１の基地局及び前記第２の基地局からの信号を受信するステップと、
−  前記信号の品質測定値を求めるステップと、
−  前記第１の基地局によって転送された前記信号の受信と前記第２の基地局によって転送された前記信号の受信との間の時間期間を求めるステップと、
−  少なくとも前記品質測定値及び前記時間期間に従って、前記第２の基地局が前記半二重端末をハンドリングすることができるか否かを判断するステップと、
を含み、
前記無線セルラー通信ネットワークはセル同期されており、
前記第１の基地局は、前記第１の基地局のセルにおいて信号を転送し、
前記半二重端末は、前記第１の基地局によってハンドリングされているとき、前記第１の基地局の前記セルのアイドル期間と呼ばれる時間期間中に信号の転送及び受信を行わず、
前記第２の基地局が前記半二重端末をハンドリングすることができるか否かを判断することは、前記第１の基地局の前記セルの前記アイドル期間に従ってさらに判断される
ことを特徴とする、半二重端末が第１の基地局によってハンドリングされている無線セルラー通信ネットワークにおいて、第２の基地局が前記半二重端末をハンドリングすることができるか否かを判断するための方法。
【請求項２】
前記第２の基地局は、他の端末が位置する前記第２の基地局のセルにおいて信号を転送し、
前記半二重端末は、前記第２の基地局によってハンドリングされているとき、前記第２の基地局の前記セルのアイドル期間と呼ばれる時間期間中に信号の転送及び受信を行わず、
前記第２の基地局が前記半二重端末をハンドリングすることができるか否かを判断することは、前記第２の基地局の前記セルの前記アイドル期間に従ってさらに判断される
ことを特徴とする、請求項１に記載の方法。
【請求項３】
前記無線通信ネットワークは半二重周波数分割複信方式を使用し、
前記第１の基地局若しくは前記第２の基地局によってハンドリングされている半二重端末のみが、前記第１の基地局若しくは前記第２の基地局の前記セルの前記アイドル期間中に信号の転送及び受信を行わないか、又は、
前記第１の基地局若しくは前記第２の基地局によってハンドリングされている前記半二重端末、及び、前記第１の基地局若しくは前記第２の基地局が、前記第１の基地局若しくは前記第２の基地局の前記セルの前記アイドル期間中に信号の転送及び受信を行わない
ことを特徴とする、請求項１又は２に記載の方法。
【請求項４】
前記無線通信ネットワークは時分割複信方式を使用し、
前記第１の基地局若しくは前記第２の基地局によってハンドリングされている前記半二重端末、及び、前記第１の基地局若しくは前記第２の基地局は、前記アイドル期間中に信号の転送及び受信を行わないことを特徴とする、請求項１又は２に記載の方法。
【請求項５】
−  品質測定値が所定の値よりも大きい信号を転送した前記基地局であって前記半二重端末をハンドリングすることができる前記基地局を選択するステップと、
−  前記選択された基地局によって転送された信号に関する前記品質測定値を含む測定報告を作成するステップと、
−  前記半二重端末をハンドリングしている前記第１の基地局へ前記測定報告を転送するステップと、
をさらに含むことを特徴とする、請求項１〜４のいずれか一項に記載の方法。
【請求項６】
−  前記第２の基地局へのハンドオーバに進む要求を表すメッセージを、前記半二重端末をハンドリングしている前記第１の基地局から受信するステップと、
−  前記第２の基地局が前記半二重端末をハンドリングすることができるか否かをチェックするステップと、
−  前記チェックの結果に従って前記半二重端末をハンドリングしている前記第１の基地局へメッセージを転送するステップと、
をさらに含むことを特徴とする、請求項１〜４のいずれか一項に記載の方法。
【請求項７】
半二重端末が第１の基地局によってハンドリングされている無線セルラー通信ネットワークにおいて、第２の基地局が前記半二重端末をハンドリングすることができるか否かを判断するためのデバイスであって、前記デバイスは前記半二重端末に含まれ、
−  前記第１の基地局及び前記第２の基地局からの信号を受信する手段と、
−  前記信号の品質測定値を求める手段と、
−  前記第１の基地局によって転送された前記信号の受信と前記第２の基地局によって転送された前記信号の受信との間の時間期間を求める手段と、
−  少なくとも前記品質測定値及び前記時間期間に従って、前記第２の基地局が前記半二重端末をハンドリングすることができるか否かを判断する手段と、
を備え、
前記無線セルラー通信ネットワークはセル同期されており、
前記第１の基地局は、前記第１の基地局のセルにおいて信号を転送し、
前記半二重端末は、前記第１の基地局によってハンドリングされているとき、前記第１の基地局の前記セルのアイドル期間と呼ばれる時間期間中に信号の転送及び受信を行わず、
前記第２の基地局が前記半二重端末をハンドリングすることができるか否かを判断することは、前記第１の基地局の前記セルの前記アイドル期間に従ってさらに判断される
ことを特徴とする、半二重端末が第１の基地局によってハンドリングされている無線セルラー通信ネットワークにおいて、第２の基地局が前記半二重端末をハンドリングすることができるか否かを判断するためのデバイス。
【請求項８】
プログラマブルデバイス内に直接ロード可能とすることができるコンピュータプログラムであって、前記コンピュータプログラムがプログラマブルデバイス上で実行される時に請求項１〜６のいずれか一項による方法のステップを実施するための命令又はコード部分を含む、コンピュータプログラム。
【発明の詳細な説明】
【技術分野】
【０００１】
本発明は、包括的には、無線セルラー通信ネットワークにおいて、端末についてハンドオーバを実行しなければならないかを判断するための方法及びデバイスに関する。
【背景技術】
【０００２】
最先端の無線セルラー通信ネットワークでは、各端末には、理論的には通信をハンドリングすることができる基地局の候補セットが定期的に割り当てられる。これらの候補基地局は、たとえば、端末を現在ハンドリングしている基地局の周囲の基地局とすることができる。各端末は、種々の候補基地局の候補測定チャネルの信号の品質を定期的に測定するか、又は要求に応じて、すなわち特定のイベントの後に測定する。その後、これらの測定値は、端末によって、この端末を現在ハンドリングしている基地局に報告され、基地局は、ハンドオーバ手順を開始するべきか否かを判定することができる。
【０００３】
代替的には、基地局の候補セットは端末には割り当てられない。各端末は、受信される測定チャネルの信号が十分な品質を有する基地局との間で測定を行う。次に、端末は、この端末を現在ハンドリングしている基地局に測定値を報告し、基地局は、ハンドオーバ手順を開始するか否か、又は、端末によって要求されたハンドオーバ手順を有効にするか否かを判定することができる。
【０００４】
このような最先端のハンドオーバは、全二重端末については有効であるが、半二重端末についてはいくつかの問題につながるおそれがある。
【０００５】
全二重端末は、無線信号の送信及び受信を同時に行うことができる端末である。
【０００６】
半二重端末は、無線信号の送信及び受信を同時に行うことができない端末である。たとえば、端末は時分割複信（ＴＤＤ）モードで動作し、送信及び受信は同じ周波数帯域上であるが異なる時間期間に行われる。端末は周波数分割複信（ＦＤＤ）モードで動作することもでき、送信及び受信は異なる周波数帯域上で異なる時間期間に行われる。
【０００７】
基地局が時刻ｔｅに半二重端末へシンボルを送信するとき、これらのシンボルは、基地局からの距離ｄに位置する端末によって、ｔｅ＋ＲＴＤ（ｄ）／２に等しい時刻に受信される。ここで、ＲＴＤ（ｄ）は、この端末のラウンドトリップ遅延（Round Trip Delay）である。これらのシンボルは端末によって処理され、その後、端末もアップリンクチャネルを介して基地局へシンボルを送信することができる。端末ＴＥは、アップリンクチャネルを介してシンボルを送信する前に、ハードウェアオペレーション及びソフトウェアオペレーションの継続時間を考慮するために或る期間待たなければならない。この或る期間は、受信送信切り換え時間（Receive Transmit Switch time）又は単にスイッチング時間と言われ、ＲＴＳと呼称される。たとえば、この遅延ＲＴＳは、端末のハードウェア機器が受信モードと送信モードとの間を切り換えるのに必要とする時間、及び、基地局のハードウェア機器が送信モードと受信モードとの間を切り換えるのに必要とする時間の最大値である。したがって、アップリンクチャネルを介して送信されたシンボルは、ｔｅ＋ＲＴＤ（ｄ）＋ＲＴＳ＋ＤDLに等しい時刻ｔｒより前には基地局ＢＴＳで受信することができない。ＤDLは、端末がダウンリンクチャネルで受信することができるシンボルの全継続時間である。
【０００８】
例として、第３世代パートナーシッププロジェクト長期的発展型（３ＧＰＰ／ＬＴＥ）と互換性のある１０ｋｍのＦＤＤセル半径を有する基地局を考える場合、基地局がそのセル内のいずれの場所に位置する端末もハンドリングすることができるようにするには、基地局側及び端末側の双方、又は、端末側のみのいずれかで、２シンボルの継続時間に対応するアイドル期間継続時間を作り出す必要がある。２シンボルの継続時間に対応するアイドル期間継続時間によって、基地局は、基地局から最大１９．６ｋｍまでの距離に位置する半二重端末をハンドリングすることが可能になる。
【０００９】
１シンボルの継続時間に対応するアイドル期間継続時間では、基地局は、基地局から最大８．３ｋｍまでの距離に位置する半二重端末しかハンドリングすることができない。このようなアイドル期間継続時間により、たとえ測定チャネルの信号の品質が十分高くても、基地局は、基地局から８．３ｋｍよりも大きい距離に位置する半二重端末をハンドリングすることができないのに対して、全二重端末はハンドリングすることができる。
したがって、通信中、ハンドオーバ手順が基地局に対して要求される場合があるが、基地局と端末との間のラウンドトリップ遅延が基地局のアイドル期間に適合していないと、基地局は半二重端末をハンドリングすることができない。
【先行技術文献】
【特許文献】
【００１０】
【特許文献１】欧州特許出願公開第１７４６７４３号
【発明の概要】
【発明が解決しようとする課題】
【００１１】
本発明は、ターゲットの基地局のアイドル期間要件をうまく処理することができない半二重端末についてハンドオーバが実行されることを回避することを目的とする。
【課題を解決するための手段】
【００１２】
この目的を達成するために、本発明は、半二重端末が第１の基地局によってハンドリングされている無線セルラー通信ネットワークにおいて、第２の基地局が半二重端末をハンドリングすることができるか否かを判断するための方法に関する。当該方法は、半二重端末によって実行され、
−  第１の基地局及び第２の基地局からの信号を受信するステップと、
−  これらの信号の品質測定値を求めるステップと、
−  第１の基地局によって転送された信号の受信と第２の基地局によって転送された信号の受信との間の時間期間を求めるステップと、
−  少なくとも品質測定値及び時間期間に従って、第２の基地局が半二重端末をハンドリングすることができるか否かを判断するステップと、
を含むことを特徴とする。
【００１３】
また、本発明は、半二重端末が第１の基地局によってハンドリングされている無線セルラー通信ネットワークにおいて、第２の基地局が半二重端末をハンドリングすることができるか否かを判断するためのデバイスにも関する。当該デバイスは半二重端末に含まれ、
−  第１の基地局及び第２の基地局からの信号を受信する手段と、
−  信号の品質測定値を求める手段と、
−  第１の基地局によって転送された信号の受信と第２の基地局によって転送された信号の受信との間の時間期間を求める手段と、
−  少なくとも品質測定値及び時間期間に従って、第２の基地局が半二重端末をハンドリングすることができるか否かを判断する手段と、
を備えることを特徴とする。
【００１４】
したがって、半二重端末について非効率的なハンドオーバ要求を回避することによって、ハンドオーバ手順の管理の質が向上される。
【００１５】
特定の特徴によれば、無線セルラー通信ネットワークはセル同期（cell-synchronized）されている。
【００１６】
したがって、ハンドオーバの有効性確認が簡単化される。
【００１７】
特定の特徴によれば、第１の基地局は、第１の基地局のセルにおいて信号を転送し、半二重端末は、第１の基地局によってハンドリングされているとき、第１の基地局のセルのアイドル期間と呼ばれる時間期間中に信号の転送及び受信を行わず、第２の基地局が半二重端末をハンドリングすることができるか否かを判断することは、第１の基地局のセルのアイドル期間に従ってさらに判断される。
【００１８】
したがって、半二重端末は、第２の基地局が半二重端末をハンドリングすることができるか否かを判断するために、半二重端末をハンドリングしている第１の基地局から多くのメッセージを必要としない。したがって、ダウンリンクシグナリングが増加しない。
【００１９】
特定の特徴によれば、第２の基地局は、他の端末が位置する第２の基地局のセルにおいて信号を転送し、半二重端末は、第２の基地局によってハンドリングされているとき、第２の基地局のセルのアイドル期間と呼ばれる時間期間中に信号の転送及び受信を行わず、第２の基地局が半二重端末をハンドリングすることができるか否かを判断することは、第２の基地局のセルのアイドル期間に従ってさらに判断される。
【００２０】
したがって、半二重端末は、基地局からの特定の拒否メッセージを何ら必要とすることなくハンドオーバを防止することができる。
【００２１】
特定の特徴によれば、無線通信ネットワークは半二重周波数分割複信方式を使用し、第１の基地局若しくは第２の基地局によってハンドリングされている半二重端末のみが、第１の基地局若しくは第２の基地局のセルのアイドル期間中に信号の転送及び受信を行わないか、又は、第１の基地局若しくは第２の基地局によってハンドリングされている半二重端末、及び、第１の基地局若しくは第２の基地局が、第１の基地局若しくは第２の基地局のセルのアイドル期間中に信号の転送及び受信を行わない。
【００２２】
したがって、基地局における半二重ＦＤＤ端末に起因する特定の実装コストが削減されるか、又は、基地局の電力消費が制限される。
【００２３】
特定の特徴によれば、無線通信ネットワークは時分割複信方式を使用し、第１の基地局若しくは第２の基地局によってハンドリングされている半二重端末、及び、第１の基地局若しくは第２の基地局は、アイドル期間中に信号の転送及び受信を行わない。
【００２４】
したがって、アップリンク通信とダウンリンク通信との間の干渉が削減される。
【００２５】
特定の特徴によれば、半二重端末は、
−  品質測定値が所定の値よりも大きい信号を転送した基地局であって半二重端末をハンドリングすることができる基地局を選択し、
−  選択された基地局によって転送された信号に関する品質測定値を含む測定報告を作成し、
−  半二重端末をハンドリングしている第１の基地局へ測定報告を転送する。
【００２６】
したがって、半二重端末は、各基地局に対してハンドオーバ可能性をチェックすることができ、この端末をハンドリングすることができる基地局によって転送された信号に関する品質測定値のみを含む測定報告を転送する。そのため、端末をハンドリングしている基地局は、ハンドオーバ後にいずれの基地局がこの半二重端末をハンドリングすべきであるのかを、誤りなく判定することができる。
【００２７】
特定の特徴によれば、半二重端末は、
−  第２の基地局へのハンドオーバに進む要求を表すメッセージを、半二重端末をハンドリングしている第１の基地局から受信し、
−  第２の基地局が半二重端末をハンドリングすることができるか否かをチェックし、
−  チェックの結果に従って半二重端末をハンドリングしている第１の基地局へメッセージを転送する。
【００２８】
したがって、基地局は、低い計算複雑度でハンドオーバの判定を行うことができる。
【００２９】
さらに別の態様によれば、本発明は、プログラマブルデバイス内に直接ロード可能とすることができるコンピュータプログラムに関する。当該コンピュータプログラムは、プログラマブルデバイス上で実行される時に本発明による方法のステップを実施するための命令又はコード部分を含む。
【００３０】
このコンピュータプログラムに関する特徴及び利点は、本発明による方法及びデバイスに関連して上述したものと同じであるので、ここでは繰り返さないことにする。
【００３１】
本発明の特徴は、一例の実施形態の以下の説明を読むことによってより明確になるであろう。当該説明は、添付図面に関して作成されている。
【図面の簡単な説明】
【００３２】
【図１】本発明が実施される無線セルラー通信ネットワークのアーキテクチャを表す図である。
【図２ａ】アップリンクチャネルが同期し、基地局及び半二重端末がセルのアイドル期間中に信号の転送及び受信を行わない場合のアイドル期間を示すクロノグラムである。
【図２ｂ】アップリンクチャネルが同期し、半二重端末がセルのアイドル期間中に信号の転送及び受信を行わない場合のアイドル期間を示すクロノグラムである。
【図３】本発明による無線通信システムの端末のアーキテクチャを表す図である。
【図４】アップリンクチャネルが非同期であり、無線通信ネットワークが時分割複信方式を使用し、セルに位置する半二重端末及び基地局がアイドル期間中に信号の転送及び受信を行わない場合のアイドル期間を示すクロノグラムである。
【図５】本発明による信号及びタイミングのクロノグラムの一例を示す図である。
【図６】本発明の第１の実現モードによる、端末によって実行されるアルゴリズムの一例を示す図である。
【発明を実施するための形態】
【００３３】
図１は、本発明が実施される無線セルラー通信ネットワークのアーキテクチャを表す図である。
【００３４】
無線セルラー通信ネットワークは、時分割複信方式（ＴＤＤ）又は半二重周波数分割複信方式を使用することができる。
【００３５】
ＴＤＤ方式では、アップリンクチャネル及びダウンリンクチャネルで転送される信号は、同じ周波数帯域において異なるサブフレームで複信される。このサブフレームは、タイムスロットとも呼ばれる。
【００３６】
全二重周波数分割複信方式では、アップリンクチャネル及びダウンリンクチャネルで転送される信号は、異なる周波数帯域において同じサブフレームで複信される。このサブフレームは、タイムスロットとも呼ばれる。
【００３７】
半二重端末側からの半二重ＦＤＤ方式では、アップリンクチャネル及びダウンリンクチャネルで転送される信号は、異なる周波数帯域において異なるサブフレームで複信される。このサブフレームは、タイムスロットとも呼ばれる。このような場合、基地局は、全二重周波数分割複信方式を使用するのと同時に、各半二重ＦＤＤ端末のタイムスロットを適切に順序付けることによっていくつかの半二重ＦＤＤ端末と同時に通信することができる場合がある。
【００３８】
基地局ＢＳが端末ＴＥへシンボルを転送するとき、データ、信号、又はメッセージが、ダウンリンクチャネルを通じて転送される。
【００３９】
端末ＴＥが基地局ＢＳへシンボルを転送するとき、信号、メッセージ、又はデータが、アップリンクチャネルを通じて転送される。
【００４０】
図１の無線セルラー通信ネットワークでは、基地局ＢＳ２のセル１５2に位置する端末ＴＥは、基地局ＢＳ１のセル１５1に移動中である。
【００４１】
単純にするために、図１には２つの基地局ＢＳしか示されていないが、実際には、無線セルラー通信ネットワークは複数の基地局ＢＳから成る。
【００４２】
基地局ＢＳ１のセル１５1は、基地局ＢＳ１によって転送される信号、たとえば基地局ＢＳ１の測定チャネルで転送される信号の電力強度が、セル１５1に位置する端末ＴＥによって所定の値よりも上のレベルで受信されるエリアである。
【００４３】
全二重端末ＴＥが基地局ＢＳ１のセル１５1に位置しているとき、基地局ＢＳ１は全二重端末ＴＥをハンドリングすることができる。全二重端末ＴＥは、基地局ＢＳ１を通じて、リモートの通信デバイスとの通信を確立又は受信することができる。セル１５1は規則正しい形状を有していない。これは、主として、基地局ＢＳ１との見通し線（line of sight）にある特定のロケーション、又は障害物に起因する。
【００４４】
基地局ＢＳ１のエリアＲ１は、Ｒ１に位置する各端末ＴＥについて、基地局ＢＳ１とその端末ＴＥとの間のラウンドトリップ遅延、並びに、受信モードと送信モードとの間の切り換え及び／又は送信モードと受信モードとの間の切り換えの合計が、セル１５1のアイドル期間以下であるエリアである。
【００４５】
換言すれば、半二重又は全二重の端末ＴＥが基地局ＢＳ１のエリアＲ１に位置するとき、基地局ＢＳ１は端末ＴＥをハンドリングすることができ、端末ＴＥは基地局ＢＳ１を通じてリモートの通信デバイスとの通信を確立又は受信することができる。
【００４６】
半二重端末ＴＥがセル１５1に位置するが基地局ＢＳ１のエリアＲ１に位置していないとき、端末ＴＥはセル１５1においてセル１５1のアイドル期間に適合していない特性を有するので、基地局ＢＳ１は半二重端末ＴＥをハンドリングすることができない。
【００４７】
エリアＲ１はセル１５1に含まれる。Ｒ１と１５1との相違は、セル１５1について設定せれたアイドル期間によって画定される。
【００４８】
長いアイドル期間によって、基地局ＢＳ１はいずれの半二重端末ＴＥもハンドリングすることが可能になるが、基地局Ｒ１と半二重端末ＴＥとの間で転送されるデータの点から、全体の容量は削減される。Ｒ１は、セル１５1に位置する大部分の半二重端末ＴＥに対して基地局ＢＳ１によってハンドリングされる可能性を提供するように画定される。Ｒ１は、基地局ＢＳ１から遠い少数の半二重端末ＴＥのためにのみアイドル期間を長くしなければならないことを回避するように画定される。
【００４９】
基地局ＢＳ２のセル１５2は、基地局ＢＳ２の測定チャネルで転送される信号のような信号の電力強度が、セル１５2に位置する端末ＴＥによって所定の値よりも上のレベルで受信されるエリアである。全二重端末ＴＥが基地局ＢＳ２のセル１５2に位置しているとき、基地局ＢＳ２は全二重端末ＴＥをハンドリングすることができる。全二重端末ＴＥは、基地局ＢＳ２を通じてリモートの通信デバイスとの通信を確立又は受信することができる。
【００５０】
基地局ＢＳ２のエリアＲ２は、Ｒ２に位置する各端末ＴＥについて、基地局ＢＳ２とその端末ＴＥとの間のラウンドトリップ遅延、並びに、受信モードと送信モードとの間の切り換え及び／又は送信モードと受信モードとの間の切り換えの合計が、セル１５2のアイドル期間以下であるエリアである。
【００５１】
換言すれば、半二重又は全二重の端末ＴＥが基地局ＢＳ２のエリアＲ２に位置するとき、基地局ＢＳ２は端末ＴＥをハンドリングすることができ、端末ＴＥは基地局ＢＳ２を通じてリモートの通信デバイスとの通信を確立又は受信することができる。
【００５２】
半二重端末ＴＥがセル１５2に位置するが基地局ＢＳ２のエリアＲ２に位置していないとき、端末ＴＥはセル１５2においてセル１５2のアイドル期間に適合していない特性を有するので、基地局ＢＳ２は半二重端末ＴＥをハンドリングすることができない。
【００５３】
エリアＲ２はセル１５2に含まれる。Ｒ２と１５2との相違は、セル１５2について設定せれたアイドル期間によって画定される。
【００５４】
ここで、セル１５1及び１５2についてそれぞれ設定されたアイドル期間は、等しくてもよく、異なっていてもよいことに留意されたい。
【００５５】
本発明によれば、基地局ＢＳは、ダウンリンク信号メッセージを端末ＴＥへ転送する手段と、メッセージを受信する手段とを備える。
【００５６】
基地局ＢＳは、ノード、或いはノードＢ、或いは拡張ノードＢ、或いはアクセスポイントとも呼ばれる。
【００５７】
端末ＴＥは、移動電話、携帯情報端末、或いはパーソナルコンピュータのような半二重端末である。端末ＴＥはユーザ機器とも呼ばれる。
【００５８】
無線通信ネットワークはセル同期（cell-synchronized）されている。異なるセル１５又は基地局ＢＳを発信源とする信号は、同時に送信される。
【００５９】
より正確には、これらの信号はフレームに構造化され、フレーム自体はシンボルから成る。セル同期は、シンボルレベルで確保される場合がある。これは、所与のセル１５又は基地局ＢＳにおけるシンボルの送信時刻が、他の任意のセル１５又は基地局ＢＳにおけるシンボルの送信時刻と一致することを意味する。また、セル同期は、フレームレベルで確保される場合もある。その場合、所与のセル１５又は基地局ＢＳにおけるフレームの送信時刻は、他の任意のセル１５又は基地局ＢＳにおけるフレームの送信時刻と一致する。セル同期は、各基地局ＢＳにＧＮＳＳ（全地球的航法衛星システム）を含めることによって行うことができる。
【００６０】
図２ａは、アップリンクチャネルが同期し、基地局及び半二重端末がセルのアイドル期間中に信号の転送及び受信を行わない場合のアイドル期間を示すクロノグラムである。
【００６１】
アップリンクチャネルが同期しているとき、基地局ＢＳの所与のセル１５のアップリンクチャネルで送信されるシンボルは、基地局ＢＳと端末ＴＥとを隔てる距離にかかわらず基地局ＢＳによって同じ時刻ｔｒで受信されなければならない。信号が基地局及び半二重端末側の双方によってアイドル期間中に受信も転送もされないとき、基地局ＢＳは、端末ＴＥによって送信されたシンボルの処理を行うために、それらのシンボルの受信を待たなければならない。
【００６２】
エリアＲ１又はＲ２の境界に位置する端末ＴＥについて求められる待ち時間、換言すれば、求めることができる最大待ち時間は、セル１５のガード期間又はアイドル期間ＩＰと呼ばれる。これは、少なくともラウンドトリップ遅延ＲＴＤ（Ｒａ）に受信送信切り換え時間ＲＴＳを加えたものに等しくなければならない。ここで、ＲａはエリアＲ１又はＲ２が円とみなされる場合のエリアＲ１又はＲ２の半径である。
【００６３】
基地局ＢＳ１は、ダウンリンクシンボルＤＬを端末ＴＥへ転送する。これらのダウンリンクシンボルＤＬは、ラウンドトリップ遅延ＲＴＤの２分の１に等しい遅延で端末ＴＥによって受信される。
【００６４】
アイドル期間ＩＰの期間中、基地局ＢＳはいずれのシンボルの転送も受信も行わない。いずれのシンボルの転送も受信も行わないことによって、基地局の電力消費が削減される。
【００６５】
基地局ＢＳとそのセル１５に含まれる各端末ＴＥとを隔てる距離にかかわらず、アップリンクシンボルを基地局ＢＳが同時に受信する必要があるので、基地局ＢＳは、端末ＴＥのそれぞれについてタイミング遅延ＴＤ（ｄ）を求める。
【００６６】
このタイミング遅延は、次の式を使用して計算される。
【００６７】
ＴＤ（ｄ）＝ｔｒ−ｔｅ−ＤDL−ＲＴＤ（ｄ）＝ＩＰ−ＲＴＤ（ｄ）
【００６８】
ここで、ｄは端末ＴＥと基地局ＢＳとの間の距離であり、ＤDLは端末がダウンリンクチャネルで受信することができるシンボルの全継続時間である。
【００６９】
基地局ＢＳは、各タイミング遅延から、各端末ＴＥについてタイミングアドバンスＴＡ＝ＩＰ−ＴＤ（ｄ）を求め、このタイミングアドバンスを対応する端末ＴＥへ転送する。
【００７０】
端末ＴＥ１がその端末ＴＥのデータを含む先行のダウンリンクタイムスロットの直後のアップリンクタイムスロットにスケジューリングされている場合、端末ＴＥは、アップリンクチャネルを介するシンボルの送信に自身のタイミングアドバンスＴＡ（ＴＥ）値を適用して、端末ＴＥから送信されたシンボルがアップリンクタイムスロットｔｒの開始時に基地局ＢＳで受信されるようにする。
【００７１】
ここで、アイドル期間ＩＰは不連続であることに留意されたい。アイドル期間ＩＰは、端末ＴＥについて、１／２ＲＴＤで示される２つの時間期間及び時間期間ＴＤ（ＴＥ）から成る。
【００７２】
図２ｂは、アップリンクチャネルが同期し、半二重端末がセルのアイドル期間中に信号の転送及び受信を行わない場合のアイドル期間を示すクロノグラムである。
【００７３】
図２ｂの例のアイドル期間中、端末ＴＥのみが信号の受信も転送も行わない。
【００７４】
基地局ＢＳは、アイドル期間を何ら考慮することなくダウンリンクチャネルＤＬTでシンボルを転送する。基地局ＢＳは、各端末ＴＥを潜在的に全二重端末ＴＥであるとみなす。基地局ＢＳは、たとえシンボルが半二重端末によって使用できない場合であっても、シンボルを転送することがある。使用できないシンボルを転送することによって、全二重端末ＴＥ及び半二重端末ＴＥをハンドリングすることができる基地局ＢＳの特定の特徴を製造するための開発コストが削減される。
【００７５】
半二重端末ＴＥ、例として端末ＴＥがダウンリンクチャネルＤＬTでシンボルを受信すると、端末ＴＥは受信シンボルに対して或るパンクチャリングを実行する。端末ＴＥは、セル１５のアイドル期間に適合するダウンリンクシンボル、すなわち、端末がダウンリンクチャネルで受信することができるシンボルの継続時間ＤDLに含まれるダウンリンクシンボルのみをＤＬRで受信する。
【００７６】
端末ＴＥのタイミングアドバンスＴＡ（ＴＥ）及びタイミング遅延ＴＤ（ＴＥ）は、図２ａで開示したのと同様の方法で求められる。
【００７７】
ここで、アイドル期間ＩＰは、基地局ＢＳでは連続であるのに対して、半二重端末ＴＥでは不連続であることに留意されたい。アイドル期間ＩＰは、端末ＴＥについて、１／２ＲＴＤで示される２つの時間期間及び時間期間ＴＤ（ＴＥ）から成る。
【００７８】
ＤDLに含まれない信号Ｐｕｎｃは処理されない。
【００７９】
図３は、本発明による端末のアーキテクチャを表す図である。
【００８０】
端末ＴＥは、たとえば、バス３０１によって互いに接続されているコンポーネントと、図５又は図６に開示するようなアルゴリズムに関連するプログラムによって制御されるプロセッサ３００とに基づくアーキテクチャを有する。
【００８１】
ここで、端末ＴＥは、一変形では、以下で開示するようなプロセッサ３００によって実行されるオペレーションと同じオペレーションを実行する１つ又はいくつかの専用集積回路の形態で実施されることに留意されたい。
【００８２】
バス３０１は、プロセッサ３００を、読み出し専用メモリＲＯＭ３０２、ランダムアクセスメモリＲＡＭ３０３、及びチャネルインタフェース３０５に接続する。
【００８３】
読み出し専用メモリＲＯＭ３０２は、図５又は図６に開示するようなアルゴリズムに関連するプログラムの命令を含む。これらの命令は、端末ＴＥに電源が投入されるときにランダムアクセスメモリＲＡＭ３０３へ転送される。
【００８４】
ＲＡＭメモリ３０３は、変数を収容するように意図されるレジスタと、図５又は図６に開示するようなアルゴリズムに関連するプログラムの命令とを含む。
【００８５】
チャネルインタフェース３０５は、基地局ＢＳへメッセージを転送し且つ／又は基地局ＢＳからメッセージを受信する手段と、本発明による報告メッセージをアンテナＴＥＡｎｔを通じて転送する手段と、受信信号の品質を測定する手段とを備える。
【００８６】
図４は、本発明による信号及びタイミングのクロノグラムの一例を示している。
【００８７】
横軸は基地局ＢＳと端末ＴＥとを隔てる距離を表し、縦軸は時間を表している。
【００８８】
基地局ＢＳ２は信号ＤＬ２を転送する。この信号ＤＬ２は、Ｔ2の継続時間の後に端末ＴＥによって受信される
【００８９】
基地局ＢＳ１は信号ＤＬ１を転送する。この信号ＤＬ１は、Ｔ1の継続時間の後に端末ＴＥによって受信される
【００９０】
信号ＤＬ１の受信時刻と信号ＤＬ２の受信時刻との差分はΔＴで示される。
【００９１】
本発明によれば、端末ＴＥは、以下で開示するように、端末ＴＥによって受信される信号の品質測定報告を適合させるために差分ΔＴを効率的に使用する。
【００９２】
図５は、本発明の第１の実現モードによる、端末によって実行されるアルゴリズムの一例である。
【００９３】
より正確には、本アルゴリズムは、ダウンリンク信号が少なくとも１つの基地局ＢＳからたとえば測定チャネルで受信されるごとに、各端末ＴＥのプロセッサ３００によって実行される。
【００９４】
端末ＴＥは、その端末ＴＥを現在ハンドリングしている第１の基地局ＢＳとも呼ばれる基地局ＢＳのセル１５のアイドル期間ＩＰ、及び、第２の基地局ＢＳとも呼ばれる他の基地局ＢＳのセル１５のアイドル期間ＩＰを知っている。ここで他の基地局ＢＳは、例として、端末ＴＥを現在ハンドリングしている基地局ＢＳに隣接する基地局である。
【００９５】
基地局ＢＳの各セル１５のアイドル期間ＩＰは、端末ＴＥを現在ハンドリングしている基地局ＢＳによってブロードキャストされるか、又は、各基地局ＢＳによってブロードキャストされるか、又は、基地局ＢＳの各セル１５について同一である。
【００９６】
ステップＳ５００において、プロセッサ３００は、端末ＴＥをハンドリングしている基地局ＢＳ、すなわち第１の基地局ＢＳの測定チャネルでの信号の受信、及び、少なくとも別の基地局ＢＳ、すなわち第２の基地局ＢＳによってその測定チャネルで転送された少なくとも信号の受信をチャネルインタフェース３０５によって検出する。
【００９７】
次のステップＳ５０１において、プロセッサ３００は、端末ＴＥを現在ハンドリングしている基地局ＢＳ以外の他の基地局ＢＳそれぞれについて、端末ＴＥをハンドリングしている基地局ＢＳによって転送された信号の受信時刻と、当該他の基地局ＢＳによって転送された信号の受信時刻との時間差分ΔＴを記憶する。
【００９８】
次のステップＳ５０２において、プロセッサ３００は、ダウンリンク信号に関するいくつかの品質測定を実行するようにチャネルインタフェース３０５に命令する。チャネルインタフェース３０５は、見つけることができる基地局ＢＳの各測定チャネルで転送された信号を測定し、品質測定値が所定の値よりも大きい基地局ＢＳ及び測定値を記憶する。
【００９９】
次のステップＳ５０３において、プロセッサ３００は、他の基地局ＢＳそれぞれについて、端末ＴＥが当該他の基地局ＢＳによってハンドリングされた場合に適用しなければならないタイミングアドバンスを求める。
【０１００】
プロセッサ３００は、次の公式に従ってタイミングアドバンスを求める。
【０１０１】
ＴＡ（当該他のＢＳ）＝ＩＰ（ＢＳ）−ＴＡ（ＢＳ）＋２ΔＴ
【０１０２】
ＴＡ（当該他のＢＳ）は、当該他の基地局ＢＳについて求められるタイミングアドバンスであり、ＴＡ（ＢＳ）は、端末ＴＥを現在ハンドリングしている基地局ＢＳのタイミングアドバンスであり、ＩＰ（ＢＳ）は、端末ＴＥを現在ハンドリングしている基地局ＢＳのセル１５のアイドル期間である。
【０１０３】
次のステップＳ５０４において、プロセッサ３００は、１番目の求められたタイミングアドバンスＴＡを選択する。
【０１０４】
次のステップＳ５０５において、プロセッサ３００は、選択されたタイミングアドバンスＴＡがＩＰ（当該他のＢＳ）よりも大きいか否かをチェックする。
【０１０５】
ＩＰ（当該他のＢＳ）は、当該他の基地局ＢＳのセル１５のアイドル期間である。
【０１０６】
当該他の基地局ＢＳについて、求められたタイミングアドバンスがＩＰ（当該他のＢＳ）よりも大きいとき、これは端末ＴＥと当該他の基地局ＢＳとの間のラウンドトリップ遅延が当該他の基地局ＢＳのセル１５のアイドル期間よりも大きいことを意味し、端末ＴＥは当該他の基地局ＢＳによってハンドリングすることができないことを意味する。
【０１０７】
選択されたタイミングアドバンスがＩＰ（当該他のＢＳ）よりも大きい場合、プロセッサ３００はステップＳ５０６に進む。選択されたタイミングアドバンスがＩＰ（当該他のＢＳ）以下である場合、プロセッサ３００はステップＳ５０７に進む。
【０１０８】
ステップＳ５０６において、プロセッサ３００は、選択されたタイミングアドバンスを有する当該他の基地局ＢＳを、端末ＴＥに適合していないものとしてマーキングし、ステップＳ５０８に進む。
【０１０９】
ステップＳ５０７において、プロセッサ３００は、選択されたタイミングアドバンスを有する当該他の基地局ＢＳを、端末ＴＥに適合しているものとしてマーキングし、ステップＳ５０８に進む。
【０１１０】
ステップＳ５０８において、プロセッサ３００は、求められたタイミングアドバンスが選択済みでないかをチェックする。タイミングアドバンスが選択済みでない場合、プロセッサ３００はステップＳ５０９に移動して別のタイミングアドバンスを選択し、ステップＳ５０５に戻る。
【０１１１】
求められた各タイミングアドバンスが選択済みである場合、プロセッサ３００はステップＳ５１０に進んで測定報告を作成する。
【０１１２】
プロセッサ３００は、品質測定値が所定の値よりも大きい信号を転送した基地局であって半二重端末をハンドリングすることができる基地局（複数可）を選択する。プロセッサ３００は、選択された基地局（複数可）によって転送された信号に関する品質測定値を含む測定報告を作成する。
【０１１３】
その後、プロセッサ３００は、端末ＴＥをハンドリングしている基地局ＢＳへの測定報告の転送を命令する。
【０１１４】
図６は、本発明の第２の実現モードによる、端末によって実行されるアルゴリズムの一例である。
【０１１５】
より正確には、本アルゴリズムは、ダウンリンク信号が少なくとも１つの基地局ＢＳの測定チャネルで受信されるごとに、各端末ＴＥのプロセッサ３００によって実行される。
【０１１６】
端末ＴＥは、その端末ＴＥを現在ハンドリングしている第１の基地局ＢＳとも呼ばれる基地局ＢＳのセル１５のアイドル期間ＩＰ、及び、第２の基地局ＢＳとも呼ばれる他の基地局ＢＳのセル１５のアイドル期間ＩＰを知っている。これら他の基地局ＢＳは、例として、端末ＴＥを現在ハンドリングしている基地局ＢＳに隣接する基地局である。
【０１１７】
基地局ＢＳの各セルのアイドル期間ＩＰは、端末ＴＥを現在ハンドリングしている基地局ＢＳによってブロードキャストされるか、又は、各基地局ＢＳによってブロードキャストされるか、又は、基地局ＢＳの各セル１５について同一である。
【０１１８】
ステップＳ６００において、プロセッサ３００は、端末ＴＥをハンドリングしている基地局ＢＳの測定チャネルでの信号の受信、及び、少なくとも別の基地局ＢＳによってその測定チャネルで転送された少なくとも信号の受信をチャネルインタフェース３０５によって検出する。
【０１１９】
次のステップＳ６０１において、プロセッサ３００は、端末ＴＥを現在ハンドリングしている基地局ＢＳ以外の他の基地局ＢＳそれぞれについて、端末ＴＥをハンドリングしている基地局ＢＳによって転送された信号の受信時刻と、当該他の基地局ＢＳによって転送された信号の受信時刻との時間差分ΔＴを記憶する。
【０１２０】
次のステップＳ６０２において、プロセッサ３００は、ダウンリンク信号に関するいくつかの品質測定を実行するようにチャネルインタフェース３０５に命令する。チャネルインタフェース３０５は、見つけることができる基地局ＢＳの各測定チャネルで転送された信号を測定し、品質測定値が所定の値よりも大きい基地局ＢＳ及び測定値を記憶する。
【０１２１】
次のステップＳ６０３において、プロセッサ３００は、他の基地局ＢＳそれぞれについて、端末ＴＥが当該他の基地局ＢＳによってハンドリングされた場合に適用しなければならないタイミングアドバンスを求める。
【０１２２】
プロセッサ３００は、次の公式に従ってタイミングアドバンスを求める。
【０１２３】
ＴＡ（当該他のＢＳ）＝ＩＰ（ＢＳ）−ＴＡ（ＢＳ）＋２ΔＴ
【０１２４】
ＴＡ（当該他のＢＳ）は、当該他の基地局ＢＳについて求められるタイミングアドバンスであり、ＴＡ（ＢＳ）は、端末ＴＥを現在ハンドリングしている基地局ＢＳのタイミングアドバンスであり、ＩＰ（ＢＳ）は、端末ＴＥを現在ハンドリングしている基地局ＢＳのセル１５のアイドル期間である。
【０１２５】
ステップＳ６０４において、プロセッサ３００は、端末ＴＥをハンドリングしている基地局ＢＳによって転送されたメッセージであって、ハンドオーバに進む要求を表すメッセージ、すなわち、別の基地局ＢＳによってハンドリングされる要求を表すメッセージを、チャネルインタフェース３０５を通じて受信する。
【０１２６】
次のステップＳ６０５において、プロセッサ３００は、当該他の基地局ＢＳについて、求められたタイミングアドバンスがＩＰ（当該他のＢＳ）よりも大きいか否かをチェックする。
【０１２７】
ＩＰ（当該他のＢＳ）は、当該他の基地局ＢＳのセル１５のアイドル期間である。
【０１２８】
当該他の基地局ＢＳについて求められたタイミングアドバンスがＩＰ（当該他のＢＳ）よりも大きい場合、プロセッサ３００はステップＳ６０６に進む。そうでない場合、プロセッサ３００はステップＳ６０７に進む。
【０１２９】
ステップＳ６０６において、プロセッサ３００は、ハンドオーバの拒絶を表すメッセージを、端末ＴＥをハンドリングしている基地局ＢＳへ転送することを命令する。その後、プロセッサ３００は、本アルゴリズムを中断する。
【０１３０】
ステップＳ６０７において、プロセッサ３００は、ハンドオーバに進むことへの同意を表すメッセージを、端末ＴＥをハンドリングしている基地局ＢＳへ転送することを命令する。プロセッサ３００は、当該他の基地局ＢＳとの間で従来のハンドオーバ手順を開始する。
【０１３１】
当然のことながら、本発明の範囲から逸脱することなく、上述した本発明の実施形態に多くの変更を行うことができる。
【図１】
0005351546.tif 000002
【図２ａ】
0005351546.tif 000003
【図２ｂ】
0005351546.tif 000004
【図３】
0005351546.tif 000005
【図４】
0005351546.tif 000006
【図５】
0005351546.tif 000007
【図６】
0005351546.tif 000008